(57)【要約】      （修正有）【課題】練習場に行かずに気軽にいつでも場所を問わずに練習できるように、ボールを打たずに素振り間隔でスイートスポットに確実に当てられるように練習できるゴルフクラブの提供。【解決手段】ヘッド１のスイートスポット２を含みつつ、該スイートスポット２からソール３までの一定幅のある部分を垂直にカットして形成された貫通部分４を有し、全体が凹形の形状であるヘッドを備える。【選択図】図１
0003106722.tif 000002
【実用新案登録請求の範囲】
【請求項１】
ヘッドのスイートスポット内にソールにかけて、ティーが通る位の一定幅の垂直にカットされた貫通部分を有し、貫通部分の大きさを初心者用から上級者用に行くほど小さくしたことを特徴とするゴルフクラブ。
【考案の詳細な説明】
【技術分野】
【０００１】
本考案は、スイートスポットからソールまでの部分をカットした凹型の形状のヘッドを有するゴルフクラブに関するものである。
【背景技術】
【０００２】
従来、ゴルフクラブのスイートスポットにボールを確実に当てられるよう練習する場合には、まず、実際にボールを打って、グリップから手に伝わる振動やボールの飛距離をみて、スイートスポットにボールが当たったか否かを判断しなければならなかった。そのため、かかる練習のためには、通常のゴルフ練習と同じく、ゴルフクラブ以外にボール及びボールを打てる練習場が必要であった。
【考案の開示】
【考案が解決しようとする課題】
【０００３】
ただ、ボールを打てる練習場が必要となると、施設を利用するためにお金がかかり、また、練習場に行く機会もそれ程持てるわけではない。したがって、練習量が確保しにくく、スイートスポットに確実に当てられるようになるまで多くの時間を費やすことになる。そこで、練習場に行かずに気軽にいつでも場所を問わずに練習できるように、ボールを打たずに素振り感覚でスイートスポットに確実に当てられるように練習できるゴルフクラブの開発が望まれた。
【課題を解決するための手段】
【０００４】
上記の課題を解決するために、請求項１記載のゴルフクラブは、ヘッドのスイートスポット内にソールにかけて、ティーが通る位の一定幅の垂直にカットされた貫通部分を有し、貫通部分の大きさを初心者用から上級者用に行くほど小さくしたことを要旨とする。
【考案の効果】
【０００５】
ボールの飛距離を出したり、真直ぐな方向にボールを飛ばすためには、ヘッドのスイートスポットで上手くボールを捕えて打つことが肝要となる。本考案のゴルフクラブによると、スイートスポット打法の練習を、ボールを打たずに素振り感覚で繰り返し行える。そのため、練習場などの施設に行かないでも素振りができる程度のスペースの場所で練習が行え、しかも打球音がしないから近所に騒音の迷惑をかけることはない。そして、本クラブは価格が安く維持費も要らないことから、経済的負担をあまり気にせずに練習を行うことができる。
したがって、本考案によると、練習に要する時間と手間を節約して練習の機会をより多く確保し得るので、比較的短期間の内にスイートスポット打法をマスターすることができるようになると考えられる。
【考案を実施するための最良の形態】
【０００６】
本考案は、ヘッド全体が凹形に見えるように、クラブヘッドにティーが通る位の貫通部分を設けたゴルフクラブである。そして、実際に素振りをしてスイートスポット打法を身につけるために使用する。ここで、スイートスポット打法とは、ヘッドのスイートスポットで上手くボールを捕えて打つ方法である。
クラブヘッドの材質は、かかる加工がなし得れば金属あるいは樹脂でもよい。ただ、素振りの感覚は通常のゴルフクラブと同じにする方がよいので、クラブの重さも通常のゴルフクラブと同程度であることが望ましい。本考案の加工を施すクラブの大きさ（どの番手のクラブか）は特に限定されない。用途に応じて、どの番手のクラブを加工するかは自由である。また、貫通部分の大きさを違えて、貫通部分の大きいものほど初心者用とし、貫通部分が小さく細くなると上級者用などとしてもよい。
【０００７】
使用方法としては、人工芝で作られたマットの上にゴム製のティーを固定するか、あるいは地面に直接ティーを立て、そのティーをボールに見立ててクラブを振りぬく。このとき、スイートスポットにティーが来るとヘッド面の貫通部分をうまく通り抜けて、使用者はヘッドにティーが当たった時の衝撃（手に伝わる振動）を受けないので、うまくスイートスポット打法が行えたことがわかる。逆にスイートスポット以外の面にティーが当たると衝撃を受けるので、スイートスポット打法が行えなかったことがわかる。このように、本考案のゴルフクラブは、ティー目掛けて素振りをしてもティーに触れたりティーを叩いたりしないように練習することにより、スイートスポット打法を身に付けるために利用される。
【実施例１】
【０００８】
本考案の実施例を図１、２を基に説明する。
図1（ａ）は、通常のゴルフクラブのヘッドの打球面を示した図、図１（ｂ）は、本考案のゴルフクラブのヘッドの打球面を示した図、図２（ａ）は、ティーがへッドを通り抜ける直前を示した図、図２（ｂ）は、ティーがへッドを通り抜ける瞬間を示した図、図２（ｃ）は、ティーがへッドを通り抜けた直後を示した図、図２（ｄ）は、ティーがへッドに当たった図である。
また、１はヘッド、２はスイートスポット、３はソール、４は貫通部分、５はティーを示す。
【０００９】
図１（ａ）は、通常のアイアンゴルフクラブのヘッド１の打球面側を示している。ヘッド１の何処でもボールを打つことはできるが、ヘッド１には打球時にボールに最も効率的に力が加わり飛距離が出るスイートスポット２という部分がある。
図１（ｂ）は、本考案のゴルフクラブのヘッド１の打球面側を示している。本考案はアイアンクラブのヘッド１に、地面に備え付けられたティー５が通るぐらいの貫通部分４を設けたものである。貫通部分４の高さは、スイートスポット２が入るように、ヘッド１の中央付近からソール３（ヘッドの底部）にかけてである。貫通部分４の幅も、スイートスポット２が入る大きさにする。ヘッド１の素材としては、アルミニウムなどの軽量金属を使用して、かかる加工を行い易いものにしている。
【００１０】
図２（ａ）、（ｂ）、（ｃ）にかけて、地面に備え付けられたティー５がヘッドの貫通部分４を通る過程を示している。
貫通部分４が、図２（ａ）の通り、上手い具合にティー５を捕えると、図２（ｂ）の通り、ティー５がヘッド面の何処にも当たらずに貫通部分４を通り抜け、そのまま図２（ｃ）の通り、ヘッドを振り抜くことができる。よって、使用者は、単にクラブを素振りした時と同じ感覚でスイートスポット打法ができたことがわかる。逆に、ティー５がヘッド１の貫通部分４以外のところに当たるとクラブの持ち手に衝撃が伝わるので、使用者はスイートスポット打法が上手くできなかったことがわかる。また、ティーをゴム製にしておけば、図２（ｄ）の通り、ヘッドに当たった瞬間にティーは撓るだけで折れることは無いので、何度も練習に使える。
【産業上の利用可能性】
【００１１】
本考案は、ヘッドのスイートスポット内にソールにかけて、ティーが通る位の一定幅の垂直にカットされた貫通部分を有するため、練習場に行かずに気軽にいつでも場所を問わずに練習できるように、ボールを打たずに素振り感覚でスイートスポットに確実に当てられるように練習できるものであり、産業上の利用可能性を有する。
【図面の簡単な説明】
【００１２】
【図１】（ａ）通常のゴルフクラブのヘッドの打球面を示した図          （ｂ）本考案のゴルフクラブのヘッドの打球面を示した図
【図２】（ａ）ティーがへッドを通り抜ける直前を示した図          （ｂ）ティーがへッドを通り抜ける瞬間を示した図          （ｃ）ティーがへッドを通り抜けた直後を示した図          （ｄ）ティーがへッドに当たった図
【符号の説明】
【００１３】
１  ヘッド
２  スイートスポット
３  ソール
４  貫通部分
５  ティー
【図１】
0003106722.tif 000003
【図２】
0003106722.tif 000004